(57)【特許請求の範囲】
【請求項１】
少なくとも１つ以上の操作スイッチを有し該操作スイッチを操作することにより駆動制御信号を無線で送出し、該駆動制御信号を受信する受信装置を備えた開閉体駆動制御装置を駆動制御して開閉体を遠隔操作する送信機本体と、
該送信機本体の前記操作スイッチが設けられる操作面に被着され、前記操作スイッチの全部又は一部を露出させる開口窓部を備えるカバーと、
前記送信機本体に設けられ前記開口窓部に対して開閉自在に設けられ、閉鎖位置で前記操作スイッチの全部又は一部を操作不能に覆うとともに、開放位置で該操作スイッチを操作可能に前記開口窓部より露出させる開閉蓋と、
該開閉蓋に設けられ、該開閉蓋を閉鎖方向に付勢する付勢手段と、
を具備したことを特徴とする開閉体用リモコン装置。
【請求項２】
複数の操作スイッチを有し該操作スイッチを操作することにより駆動制御信号を送出し、該駆動制御信号を受信する受信装置を備えた開閉体駆動制御装置を駆動制御して開閉体を遠隔操作する送信機本体と、
該送信機本体の前記操作スイッチが設けられる操作面に被着され、前記操作スイッチのいずれかを露出させる開口窓部と、該いずれかの操作スイッチ以外の操作スイッチのみを露出させる開口穴とを備えるカバーと、
前記送信機本体に設けられ前記開口窓部に対して開閉自在に設けられ、閉鎖位置で前記開口窓部に対応する位置の前記操作スイッチを操作不能に覆うとともに、開放位置で該操作スイッチを操作可能に前記開口窓部より露出させる開閉蓋と、
該開閉蓋に設けられ、該開閉蓋を閉鎖方向に付勢する付勢手段と、
を具備したことを特徴とする開閉体用リモコン装置。
【請求項３】
前記送信機本体より送出される駆動制御信号が、無線で送出されることを特徴とする請求項２記載の開閉体用リモコン装置。
【請求項４】
壁面等に取り付けられ、前記送信機本体の収納に伴い、挿入開口部の縁部が前記開閉蓋と係合して、前記付勢手段に抗して該開閉蓋を開放位置に保持し、前記操作スイッチを露出させた状態で前記操作スイッチを操作可能とする操作窓部を備えて、前記送信機本体を収納する送信機収納ホルダーを具備したことを特徴とする請求項１，２，３のいずれか１つに記載の開閉体用リモコン装置。
【発明の詳細な説明】
【０００１】
【発明の属する技術分野】
本発明は、スラットカーテン、パネルカーテン、シートカーテン等のシャッターカーテン、或いは引戸、ドア等の扉である開閉体を遠隔操作する開閉体用リモコン装置に関する。
【０００２】
【従来の技術】
例えば、開閉体の一つにはシャッターカーテンがあり、さらにこのシャッターカーテンには図６に示す例えばアルミ等の引き抜き材からなる複数枚の長尺な短冊板状の部材としてのスラット１を長辺部同士で可動可能に連結したスラットカーテン３がある。スラットカーテン３は、開口部５の左右両側に固定したレール７，７に左右両側縁が摺動可能に保持され、開口部５の上部に設けられたシャッターケース９内の巻取機構１１によって、上端側が巻き取られ、または巻き戻されて開口部５を開閉する。
【０００３】
巻取機構１１は、両端が建物に固定される支持軸１５と、この支持軸１５に回動自在に支持されてスラットカーテン３の上端に固定される巻取カゴ１７と、この巻取カゴ１７を回転駆動する駆動装置１９とを有する。
【０００４】
駆動装置１９は、図示しない駆動モータと、この駆動モータを制御する制御装置等からなる。
通常、駆動装置１９には、有線による開閉体用リモコン装置２１が接続される。このリモコン装置２１には、開閉蓋２３に覆われる開，閉，停止等の操作スイッチ２５が設けられる。スラットカーテン３は、この操作スイッチ２５が操作されることにより、駆動装置１９が駆動制御され、遠隔操作される。
【０００５】
一方、スラットカーテン３が無線により遠隔操作されるものでは、制御装置に受信装置２７が接続される。
受信装置２７は、別体の開閉体用リモコン装置２９から送出される駆動制御信号を受信可能としている。
【０００６】
リモコン装置２９には、上述同様の操作スイッチ３１が設けられる。
このリモコン装置２９を備えた電動シャッターでは、操作スイッチ３１が操作されることにより、駆動制御信号が送出され、これを受信した受信装置２７から駆動制御信号が駆動装置１９へ伝えられ、スラットカーテン３が無線で遠隔操作される。
【０００７】
【発明が解決しようとする課題】
しかしながら、有線による開閉体用リモコン装置は、通常、開閉蓋を有しているため、操作の都度、開閉蓋を開閉しなければならず、使用勝手の悪い問題があった。
【０００８】
一方、無線による開閉体用リモコン装置は、持ち運びが自由な携帯用スイッチとして室内や車内，屋外等様々な場所で運用されているが、操作スイッチ３１が露出されているため、携帯時にリモコン装置を衣類等のポケットに入れた場合、或いは不注意によりリモコン装置を落下させた場合等には、操作スイッチに物が接触して駆動制御信号が送出される虞れがあった。
【０００９】
そして、その頻度が多い場合には、電池の消耗が早まるとともに、そのような誤操作が受信距離範囲内で発生した場合には操作者の故意でない操作によりシャッターが作動してしまう虞れがあった。
【００１０】
また、上記したシャッターカーテンの開放や閉鎖などの動作は、駆動モータなどの駆動装置による人手を介さない動作であることから、その動作状況によっては危険を伴う虞れがあり、その動作を開閉体用リモコン装置にて遠隔操作するが、上述した従来の開閉体用リモコン装置では、単に操作スイッチが並設されている構成とされるものが一般的であり、スラットカーテンの動作に対応して、すなわち、開放，閉鎖及び停止のそれぞれに対応するように、例えば、開，閉，停の３つの操作スイッチを備えた構成とされており、このことから、各操作スイッチを確実に認識せずに操作した場合には、意図しない動作を行わせてしまう虞れがあり、特に、緊急時にシャッターカーテンの動作を停止したい場合や、閉鎖（降下）動作を開放（上昇）動作に変更させたいなどの場合には、このような誤操作は大変不都合なことである。
【００１１】
本発明は上記状況に鑑みてなされたもので、非操作時に、操作スイッチが物に接触して駆動制御信号が誤って送出されることのない開閉体用リモコン装置を提供し、かつ電池の無駄な消費や、開閉体の不意な動作の防止を図るとともに、操作スイッチの操作により確実性を持たせ、誤操作を防止できるようにすることを目的とする。
【００１２】
【課題を解決するための手段】
次に、上記の課題を解決するための手段を、実施の形態に対応する図面を参照して説明する。
この発明の請求項１記載の開閉体用リモコン装置４１は、少なくとも１つ以上の操作スイッチ４７を有し該操作スイッチ４７を操作することにより駆動制御信号を無線で送出し、該駆動制御信号を受信する受信装置を備えた開閉体駆動制御装置を駆動制御して開閉体３を遠隔操作する送信機本体４３と、
該送信機本体４３の前記操作スイッチ４７が設けられる操作面に被着され、前記操作スイッチ４７の全部又は一部を露出させる開口窓部５１を備えるカバー４５と、
前記送信機本体４３に設けられ前記開口窓部５１に対して開閉自在に設けられ、閉鎖位置で前記操作スイッチ４７の全部又は一部を操作不能に覆うとともに、開放位置で該操作スイッチ４７を操作可能に前記開口窓部５１より露出させる開閉蓋５７と、
該開閉蓋５７に設けられ、該開閉蓋５７を閉鎖方向に付勢する付勢手段６１と、
を具備したことを特徴とする。
【００１３】
この開閉体用リモコン装置４１では、非操作時には操作スイッチ４７が開閉蓋５７に覆われることから、この開閉体用リモコン装置４１が無線で駆動制御信号を送出する構成であれば、衣類のポケット等に携帯した場合、或いは誤って落下させた場合においても操作スイッチ４７が物に接触して駆動制御信号が誤って送出されることがなくなる。これにより、誤操作による電池の消耗や、開閉体３の不意な動作が防止され、電池の長寿命化が図られ、安全性が高められる。また、開閉蓋５７には、付勢手段６１が設けられていることから、通常時、操作スイッチ４７が開閉蓋５７に覆われることとなり、誤操作が防止される。
【００１４】
請求項２記載の開閉体用リモコン装置４１は、複数の操作スイッチ４７ａ，４７ｂ，４７ｃを有し該操作スイッチ４７ａ，４７ｂ，４７ｃを操作することにより駆動制御信号を送出し、該駆動制御信号を受信する受信装置を備えた開閉体駆動制御装置を駆動制御して開閉体を遠隔操作する送信機本体４３と、
該送信機本体４３の前記操作スイッチ４７ａ，４７ｂ，４７ｃが設けられる操作面に被着され、前記操作スイッチ７ａ，４７ｂ，４７ｃのいずれかを露出させる開口窓部５１と、該いずれかの操作スイッチ７ａ，４７ｂ以外の操作スイッチ４７ｃのみを露出させる開口穴５３とを備えるカバー４５と、
前記送信機本体４３に設けられ前記開口窓部５１に対して開閉自在に設けられ、閉鎖位置で前記開口窓部５１に対応する位置の前記操作スイッチ４７ａ，４７ｂを操作不能に覆うとともに、開放位置で該操作スイッチ４７ａ，４７ｂを操作可能に前記開口窓部５１より露出させる開閉蓋５７と、
該開閉蓋５７に設けられ、該開閉蓋５７を閉鎖方向に付勢する付勢手段６１と、
を具備したことを特徴としている。
【００１５】
この開閉体用リモコン装置４１では、非操作時には各操作スイッチ４７ａ，４７ｂ，４７ｃのうち少なくと１つの操作スイッチ４７ａ，４７ｂが開閉蓋５７に覆われることとなり、例えばこの開閉蓋５７に覆われる操作スイッチ４７ａ，４７ｂを開閉体３を動作させるスイッチとし、開閉蓋５７に覆われていない操作スイッチ４７ｃを開閉体３の動作を停止させるスイッチとして構成すれば、開閉蓋５７を開放位置としなければ、誤って駆動制御信号を送出させることがなく、開閉体３の不意な動作が防止されることとなり、すなわち、開閉体３の動作の停止については開閉蓋５７に係わらず操作スイッチ４７ｃが操作可能であり安全性が高められる。
つまり、複数で構成される各操作スイッチ４７ａ，４７ｂ，４７ｃの前記開閉蓋５７で覆われる操作スイッチ４７ａ，４７ｂが、開閉蓋５７に覆われない操作スイッチ４７ｃよりも、相対的な意味で操作に慎重度を有する、別言すると危険度を有する虞れのある動作となる駆動制御信号を開閉体３に対して送出するスイッチである場合に有効である。
また、開閉蓋５７には、付勢手段６１が設けられていることから、通常時、操作スイッチ４７ａ，４７ｂが開閉蓋５７に覆われることとなり、これら操作スイッチ４７ａ，４７ｂの誤操作が防止される。
【００１６】
請求項３記載の開閉体用リモコン装置４１は、請求項２記載の開閉体用リモコン装置４１において、前記送信機本体４３より送出される駆動制御信号が、無線で送出されることを特徴としている。
【００１７】
この開閉体用リモコン装置４１では、上記と同様に、非操作時には操作スイッチ４７が付勢手段６１によって開閉蓋５７で覆われることから、衣類のポケット等に携帯した場合、或いは誤って落下させた場合においても操作スイッチ４７が覆われており、このことから物に接触して駆動制御信号が誤って送出されることがなくなり、開閉体３の不意な動作が防止され、安全性が高められる。
【００１８】
請求項４記載の開閉体用リモコン装置４１は、壁面等に取り付けられ前記送信機本体４３の収納に伴い、挿入開口部６９ｃの縁部が前記開閉蓋５７と係合して、前記付勢手段６１に抗して該開閉蓋５７を開放位置に保持し、前記操作スイッチ４７を露出させた状態で前記操作スイッチ４７を操作可能とする操作窓部６９ｅを備えて、前記送信機本体４３を収納する送信機収納ホルダー６９を具備したことを特徴としている。
【００１９】
この開閉体用リモコン装置４１では、送信機本体４３が、壁面等に取り付けられた送信機収納ホルダー６９に収納されると、開閉蓋５７が送信機収納ホルダー６９の挿入開口部６９ｃの縁部に係合して、スライド移動して収納の完了と同時に付勢手段６１の付勢力に抗して開放位置に移動され保持される。これにより、送信機本体４３は、送信機収納ホルダー６９の操作窓部６９ｅに操作スイッチ４７が露出した状態で壁面等に取り付けられ、使用勝手が良好となり、利便性が損なわれなくなる。
また、収納ホルダー６９から送信機を取り出すことで、開閉蓋５７は、付勢手段６１の付勢力により操作スイッチ４７を覆う。
【００２０】
なお、この開閉体用リモコン装置４１は、前記開閉蓋５７が閉鎖位置となる際に、該開閉蓋５７に覆われない前記操作スイッチ４７が、前記開閉体３に対して早急に駆動制御信号が送出される操作スイッチ４７であることとしてもよい。
【００２１】
この開閉体用リモコン装置４１では、例えば開閉蓋５７に覆われていない操作スイッチ４７ｃを開閉体３の動作、すなわち開閉動作を停止させるスイッチとして構成すれば、開閉体３の動作を緊急停止したい場合などに有効であり、すなわち、開閉体３の動作を素早く変更するなど、開閉体３に対して早急に行うべき動作を行う操作スイッチを速やかに操作できる。
【００２２】
また、この開閉体用リモコン装置４１は、前記駆動制御信号は、危険回避信号であることとしてもよい。
【００２３】
この開閉体用リモコン装置４１では、開閉蓋５７に覆われていない操作スイッチ４７ｃを開閉体３の動作を停止させるなど、開閉体３が危険を回避する動作とさせることで、遠隔操作されている開閉体３の動作に危険が発生しないように速やかに操作を行える。
【００２４】
さらに、この開閉体用リモコン装置４１は、前記送信機本体４３に設けられ開放位置に配置された前記開閉蓋５７を検出し、該検出信号が前記操作スイッチ４７を有効化する信号に利用される感知手段６３を具備したことを特徴としている。
【００２５】
この開閉体用リモコン装置４１によれば、開閉蓋５７が外れた場合、或いは開閉蓋５７が不完全開放状態の場合に、操作スイッチ４７を有効化する信号が感知手段６３から得られず、その状態における操作スイッチ４７の操作が無効となる。すなわち、開閉蓋５７の完全開放が駆動制御信号送出のための必要条件になり、故意でない操作がより確実に防止され、安全性がさらに高められる。
【００２６】
【発明の実施の形態】
以下、本発明に係る開閉体用リモコン装置の好適な実施の形態を図面を参照して詳細に説明する。
図１は本発明に係る開閉体用リモコン装置の斜視図である。
なお、本実施の形態では、開閉体は、従来の技術においても説明したように、電動シャッターを構成するスラットカーテンとして説明を行う。
【００２７】
本実施の形態の開閉体用リモコン装置（以下、単に「リモコン装置」と称す）４１は、送信機本体４３の操作面にカバー４５が被着され、例えば矩形薄板な略カード形状に組み立てられる。
【００２８】
送信機本体４３の操作面には、複数の操作スイッチ４７が設けられる。
本実施の形態では、図１に示すように、この操作スイッチ４７は、開スイッチ４７ａ，閉スイッチ４７ｂ，停止スイッチ４７ｃの三つのスイッチからなる。そして、開スイッチ４７ａと閉スイッチ４７ｂとは、操作面の矩形領域内に位置して並列して配設され、停止スイッチ４７ｃはこの矩形領域外に位置して単独で配設される。
【００２９】
送信機本体４３は、これらスイッチ４７ａ，４７ｂ，４７ｃが操作されることで、例えば図６に示した電動シャッターの受信装置２７に駆動制御信号を送出し、シャッターカーテンの開閉を遠隔操作可能にしている。
【００３０】
カバー４５は、送信機本体４３の表面側（操作面）を被覆するように薄板状に形成され、上述の矩形領域を露出させる開口窓部５１と、停止スイッチ４７ｃのみを露出させる開口穴５３とが形成されている。
つまり、カバー４５は、送信機本体４３の操作面に装着されることで、開スイッチ４７ａ，閉スイッチ４７ｂを開口窓部５１から露出させ、停止スイッチ４７ｃを開口穴５３から露出させるようになっている。
【００３１】
また、送信機本体４３の筐体５５には、開閉蓋５７がスライド自在に設けられている。
開閉蓋５７には開口窓部５１の縁に係合する突起５９が設けられる。また、開閉蓋５７には、付勢手段としての略Ｚ字形状の板バネ６１が、例えば開閉蓋５７と一体成形により連設される。
【００３２】
板バネ６１は、突起５９が開口窓部５１の縁部５１ａに係合する方向に、開閉蓋５７を付勢する。
従って、開口窓部５１は、板バネ６１で付勢された開閉蓋５７によって塞がれる。これにより、通常時、開スイッチ４７ａ，閉スイッチ４７ｂは、開閉蓋５７に覆われた状態となる。
なお、開閉蓋５７は、開スイッチ４７ａ，閉スイッチ４７ｂを覆った際、表面側からの押圧によってもこれらスイッチが押下されない程度の剛性を有するものであることは言うまでもない。
【００３３】
開閉蓋５７は、指によって突起５９を押し上げることで、板バネ６１の付勢力に抗してスライドされ、開口窓部５１を開放する。
つまり、開閉蓋５７は、閉鎖位置で開スイッチ４７ａ，閉スイッチ４７ｂを操作不能に覆い、開放位置で開スイッチ４７ａ，閉スイッチ４７ｂを操作可能に露出させる。
これに対し、停止スイッチ４７ｃは、開閉蓋５７には覆われず、緊急時に迅速な操作が可能となるように、開閉蓋５７のスライド位置に係わらず、常に開口穴５３から露出されている。
この実施の形態では、開スイッチ４７ａと閉スイッチ４７ｂとが並列に設けられていることから、開閉蓋５７の開閉操作によって、同時に操作不能となり、かつ同時に操作可能となる。すなわち、本実施の形態では、開閉蓋５７に覆われない停止スイッチ４７ｃよりも、開閉蓋５７で覆われる開スイッチ４７ａ，閉スイッチ４７ｂが、相対的な意味で操作に慎重度を有することとなり、かつ、これら開スイッチ４７ａと閉スイッチ４７ｂが並列に設けられていることから同一又は同等のレベルの慎重度を有する構成とされている。
【００３４】
送信機本体４３には、開閉蓋５７の開閉位置によって作動する感知手段としての感知スイッチ６３が設けられる。感知スイッチ６３は、開閉蓋５７が閉鎖位置に配置されている時には作動しない。一方、感知スイッチ６３は、開閉蓋５７が開放位置に配置されると、圧縮された板バネ６１に押圧されて作動する。
つまり、この感知スイッチ６３は、開閉蓋５７が開放位置に達したことを検出するようになっている。
【００３５】
この検出信号は、開スイッチ４７ａ，閉スイッチ４７ｂの操作を、有効化する信号として利用される。すなわち、開閉蓋５７が開放位置に配置されない状態では、開閉蓋５７が半開放されて開スイッチ４７ａ，閉スイッチ４７ｂが操作されても、その操作が無効となる。
【００３６】
図２は収納前のリモコン装置と送信機収納ホルダーとを示す斜視図である。
リモコン装置４１は、送信機収納ホルダー６９を付属品として有する。
送信機収納ホルダー６９は、ホルダー固定ビス７１により、電動シャッターの取り付けられた壁面等に基板６９ａが固定される。
この送信機収納ホルダー６９は、基板６９ａの表面に矩形箱形状の収容部６９ｂを一体形成してなる。収容部６９ｂの上面にはリモコン装置４１を挿入する挿入開口部６９ｃが形成されている。
【００３７】
挿入開口部６９ｃの縁部には、リモコン装置４１を挿入した際、開閉蓋５７の突起５９が係合する。従って、リモコン装置４１は、下端から挿入開口部６９ｃへ挿入されることで、突起５９が挿入開口部６９ｃの縁部に係合し、挿入される送信機本体４３に対し開閉蓋５７が相対移動されて、開放位置までスライドされる。
【００３８】
また、収容部６９ｂの前壁６９ｄには、操作窓部６９ｅが形成される。この操作窓部６９ｅは、収容部６９ｂに装着されたリモコン装置４１の露出状態となった開スイッチ４７ａ，閉スイッチ４７ｂ，及び停止スイッチ４７ｃを全て露出させる大きさで、本実施の形態では、図２に示すように略矩形状に形成される。
つまり、送信機収納ホルダー６９に収納されたリモコン装置４１は、開閉蓋５７が開放位置に保持され、かつ操作窓部６９ｅから操作スイッチ４７が全て露出した状態となる。
【００３９】
また、図示は省略するが、送信機本体４３には、感知スイッチ６３が作動したことを知らせる報知手段が設けられている。この報知手段としては、例えば表示灯や、ブザー音等よりなる。従って、操作者は、開閉蓋５７を開き、この表示灯またはブザー音を確認した後に、操作スイッチ４７を操作することになる。
【００４０】
次に、このように構成されたリモコン装置４１の作用を図３〜図５に基づき説明する。
図３は本発明に係るリモコン装置の開閉蓋作動過程を示す説明図、図４は本発明に係るリモコン装置の動作フローチャート、図５は本発明に係るリモコン装置が送信機収納ホルダーに収納された状態を示す斜視図である。
【００４１】
図３（Ａ）に示すように、リモコン装置４１の開閉蓋５７が閉鎖されている状態では、開スイッチ４７ａ，閉スイッチ４７ｂの操作が不能であり、停止スイッチ４７ｃのみの操作が可能になる。
ここで、図４に示すように、停止スイッチ４７ｃが押されれば（ｓｔ１）、停止信号が出力され（ｓｔ３）、これを図６に示した電動シャッターの受信装置２７が受信して、スラットカーテンの昇降（開閉）駆動が停止される。
【００４２】
図３（Ｂ）に示すように、リモコン装置４１の開閉蓋５７が半開放された状態では、開スイッチ４７ａ，閉スイッチ４７ｂの押下は可能となるが、図４に示すように、感知スイッチ６３の未作動が判断され（ｓｔ５）、開スイッチ４７ａ，閉スイッチ４７ｂによる開閉信号出力が無効化される（ｓｔ１７）。
なお、この状態においても、停止スイッチ４７ｃの操作は有効となる。
【００４３】
図３（Ｃ）に示すように、リモコン装置４１の開閉蓋５７が開放位置までスライドされると、開スイッチ４７ａ，閉スイッチ４７ｂが露出され、操作が可能になる。
これと同時に、図４に示すように、感知スイッチ６３の作動が判断され（ｓｔ５）、表示灯等の出力、例えばランプの点灯がなされる（ｓｔ７）。
【００４４】
表示灯等の出力を確認した後、操作者が開スイッチ４７ａ、または閉スイッチ４７ｂを操作すると、出力信号の種別が判断され（ｓｔ９，ｓｔ１３）、開信号または閉信号が出力され（ｓｔ１１，ｓｔ１５）、これを図６に示した電動シャッターの受信装置２７が受信して、スラットカーテンが昇降（開閉）駆動される。
【００４５】
なお、リモコン装置４１の開閉蓋５７から手を離せば、板バネ６１の付勢力により、この開閉蓋５７は閉塞状態に戻り、両操作スイッチ４７ａ，４７ｂが覆われる。
【００４６】
また、図５に示すように、壁面等に固定された送信機収納ホルダー６９にリモコン装置４１が挿入されると、突起５９が送信機収納ホルダー６９の挿入開口部６９ｃの縁部に係合し、開閉蓋５７が開放位置までスライドされる。
これにより、リモコン装置４１は、操作スイッチ４７の操作が可能になるとともに、感知スイッチ６３が作動し、上述同様の動作により開スイッチ４７ａ及び閉スイッチ４７ｂの操作が有効となる。
【００４７】
このように、上述のリモコン装置４１によれば、非操作時には操作スイッチ４７が開閉蓋５７に覆われ、衣類のポケット等に携帯した場合、或いは誤って落下させた場合においても操作スイッチ４７が物に接触して駆動制御信号が誤って送出されることがない。この結果、誤操作による電池の消耗や、スラットカーテン（開閉体）の不意な動作を防止することができる。
【００４８】
また、開放位置に配置された開閉蓋５７を検出し、この検出信号が操作スイッチ４７を有効化する信号に利用される感知スイッチ６３を備えたので、開閉蓋５７が外れた場合、或いは開閉蓋５７が不完全開放状態の場合には、操作スイッチ４７の操作が無効となる。この結果、故意でない操作をより確実に防止することができ、安全性をさらに向上させることができる。
【００４９】
さらに、リモコン装置４１を収納することにより、開閉蓋５７と係合してこの開閉蓋５７を開放位置に移動させ操作スイッチ４７を露出させる送信機収納ホルダー６９を備えたので、リモコン装置４１を壁面等に固定して使用する場合には、操作スイッチ４７が露出状態となり、使用勝手が良好となって、利便性が損なわれずに済む。
【００５０】
なお、上述した実施の形態では、開閉蓋５７に付勢力を付与する付勢手段として、この開閉蓋５７に一体構造とされる板バネ６１にて構成する例について述べたが、別体な構成としてもよく、またコイルバネ等であってもよい。
【００５１】
また、開閉蓋５７にて覆われる操作スイッチを、開スイッチ４７ａ，閉スイッチ４７ｂとし、停止スイッチ４７ｃは露出している構成として説明したが、各スイッチ４７ａ，４７ｂ，４７ｃ全てを覆う構成としてもよい。
この場合にも、停止スイッチ４７ｃは、感知スイッチ６３が作動状態でなくても、有効に操作可能であることが望ましい。そして、この構成によれば、誤操作による電池の消耗をさらに低減させる。
【００５２】
さらに、上述した実施の形態では、１つの開閉蓋５７にて複数の操作スイッチ４７を覆う構成としたが、複数の操作スイッチの各操作スイッチ毎に開閉蓋を設ける構成としてもよい。この場合、各操作スイッチを操作するために、それに対応する各開閉蓋を開放させる構成となることから、操作スイッチの操作手順として段階的に行うこととなり、操作の確実性を得ることができる。
【００５３】
また、上述した実施の形態では、複数の操作スイッチ４７のうち、開閉体３を開閉操作する開スイッチ４７ａと閉スイッチ４７ｂとを並列させ、開閉蓋５７の開閉にて、同時に覆い、かつ同時に露出させる構成としたが、操作スイッチの配置位置は並列でなくともよく、例えば千鳥状に配置し、開閉蓋５７の開閉の際に、同時に覆わず、同時に露出しない構成としてもよい。
【００５４】
また、複数の操作スイッチを直列に配設し、これら操作スイッチの配設方向に開閉蓋５７を段階的にスライドして開閉させる構成としてもよく、例えば、開閉蓋５７を二段階にスライドできるよう構成し、各段階において感知スイッチを配置して、それぞれの位置を感知して、各位置に対応するように操作スイッチを配置する構造とすれば、各操作スイッチを操作させるために開閉蓋を段階的に確実にスライド開放し、操作を行うこととなる。このような構成とすれば、開閉体を建物開口の上部から下降するシャッターカーテンとして適用した場合、このシャッターカーテンの動作としての安全度の度合いから、速やかに操作の行える操作スイッチを開閉蓋を一段階目の開放位置としてシャッターカーテンの動作の停止を行うスイッチとし、次の開放段階にシャッターカーテンを上昇させるための開スイッチ、そして、容易な操作とならない位置にシャッターカーテンを下降させる閉スイッチを配置することとすることで、開閉体であるシャッターカーテンの動作として、より安全側となる動作を行う制御信号の送出を速やかに行えるリモコン装置となる。
【００５５】
これを別言すると、開閉体を動作させるためのリモコン装置の操作スイッチとして、その操作スイッチの機能と、この操作スイッチにより動作する開閉体のその状態における危険度とを比較して、他の操作スイッチと相対的な意味で、より安全性のある動作となる、すなわち相対的な意味で危険度の少ない若しくは危険な状態を回避する操作スイッチは操作性が良く、かつ素早く操作の行える位置若しくは開閉蓋で覆わない位置に配置し、安全性の低い、すなわち危険度を含む動作となる操作スイッチは操作性に多少の煩雑さを持つように開閉蓋にて覆われる位置に配置する構成とすることが好ましい。例えば、開閉体の動作としては、その構成が種々あることから異なるが、通常は、開閉体の動作を停止させることが安全側となり、次に開閉体の開放動作、そして開閉体の閉鎖動作を危険動作とされることから、各動作を行う操作スイッチを、停，開，閉の順に操作の容易さを設定し、すなわち、開閉蓋にて覆わない操作スイッチを開閉体の動作を停止させるものとして、早急に操作を行えることとして構成させ、開閉体の開放操作及び閉鎖操作の各スイッチを開閉蓋で覆い、その操作に慎重性を持たせる構成とさせる。なお、この例に示す各操作スイッチの安全度，危険度の比較については、開閉体の構造によって適宜変わるものであり、各機能の各操作スイッチの配置位置は、その安全度，危険度に応じて変更させるものである。
【００５６】
さらに、上述した実施の形態では、表示灯などよりなる報知手段を、感知スイッチ６３が作動した際に働く構成としたが、開閉蓋５７が半開放状態で開スイッチ４７ａ，閉スイッチ４７ｂの操作が行われた際に、その操作と感知スイッチ６３の作動、つまり開閉蓋５７の状態を検知し、各操作スイッチ４７ａ，４７ｂの押下が開閉蓋５７の半開放時に行われている状態を報知する構成としてもよい。すなわち、開閉蓋５７が半開放の状態で操作スイッチ４７ａ，４７ｂを押下した際に、その押下操作が不可能であることを報知するブザー音などとし、このブザー音が、感知スイッチ６３が動作していないことを報知するものとしてもよい。
【００５７】
また、上述した実施の形態では、開閉体がスラットカーテンである場合を例に説明したが、本発明に係る開閉体用リモコン装置によって開閉される開閉体は、この他のパネル材にて構成されるパネルカーテン、シート材よりなるシートカーテン等のシャッターカーテン、或いは引戸やドア等の扉であってもよい。
【００５８】
さらに、上述した実施の形態では、開閉体用リモコン装置４１が、駆動制御信号を無線で送出する構成とした例について説明したが、有線で構成されることとしてもよく、この場合も上記同様の効果を得ることができる。
【００５９】
【発明の効果】
以上詳細に説明したように、本発明に係る開閉体用リモコン装置は、送信機本体に、開放位置で操作スイッチを操作可能に露出させるとともに、閉鎖位置で操作スイッチを操作不能に覆う開閉蓋を設けたので、非操作時には操作スイッチが開閉蓋に覆われた状態となり、衣類のポケット等に携帯した場合、或いは誤って落下させた場合においても操作スイッチが物に接触して駆動制御信号が誤って送出されることがない。この結果、誤操作による電池の消耗や、開閉体の不意な動作を防止することができる。
【００６０】
また、複数の操作スイッチを有する構成で、各操作スイッチを、開閉蓋で覆うものと覆わないものとで構成した場合には、開閉体の動作として、速やかに行いたい動作、例えば移動中の開閉体を停止させるなど、を割り当てられる操作スイッチを開閉蓋で覆わない構成とすることが可能となり、すなわち、操作スイッチとして容易にかつ早急に操作可能である操作スイッチと、開閉蓋の開放を行う手順の必要な慎重性を要する操作スイッチとして構成でき、操作スイッチの機能に応じたリモコン装置を得ることができる。
【００６１】
さらに、上記した早急に操作可能な操作スイッチを、危険回避信号を送出する構成とすると、開閉体の動作状況として、危険の発生を素早く回避することができ、開閉体の遠隔操作として、速やかに安全性を得られることとなる。
そして、この開閉体用リモコン装置では、開閉蓋に付勢手段を設けていることから、通常時、操作スイッチが開閉蓋に覆われることとなり、操作スイッチの誤操作が防止されることとなる。
また、この開閉体用リモコン装置によれば、送信機本体が、壁面等に取り付けられた送信機収納ホルダーに収納されると、開閉蓋が送信機収納ホルダーの挿入開口部の縁部に係合して、スライド移動して収納の完了と同時に付勢手段の付勢力に抗して開放位置に移動され保持されこととなり、送信機本体は、送信機収納ホルダーの操作窓部に操作スイッチが露出した状態で壁面等に取り付けられ、使用勝手が良好となり、利便性が損なわれなくなる。また、収納ホルダーから送信機を取り出すことで、開閉蓋は、付勢手段の付勢力により操作スイッチを覆うこととなり、誤操作の防止となる。
【００６２】
また、開閉蓋の開放状態を感知する感知手段を設ける構成とすることで、開閉蓋が不完全開放状態の場合には、操作スイッチを有効化する信号が感知手段から得られず、その状態における操作スイッチの操作を無効とすることができる。すなわち、開閉蓋の完全開放が駆動制御信号送出のための必要条件になり、故意でない操作がより確実に防止され、安全性がさらに高められ、また操作スイッチの操作の確実性を得ることが可能となり、誤操作による開閉体の事故を未然に防ぐことが可能となる。
【図面の簡単な説明】
【図１】本発明に係る開閉体用リモコン装置の斜視図である。
【図２】収納前のリモコン装置と送信機収納ホルダーとを示す斜視図である。
【図３】本発明に係るリモコン装置の開閉蓋作動過程を示す説明図である。
【図４】本発明に係るリモコン装置の動作フローチャートである。
【図５】本発明に係るリモコン装置が送信機収納ホルダーに収納された状態を示す斜視図である。
【図６】従来のリモコン装置と電動シャッターとを示す斜視図である。
【符号の説明】
３…開閉体（スラットカーテン）
２７…受信装置
４１…開閉体用リモコン装置
４３…送信機本体
４７…操作スイッチ
５７…開閉蓋
６３…感知スイッチ
６９…送信機収納ホルダー
【図１】
0004258888.tif 000002
【図２】
0004258888.tif 000003
【図３】
0004258888.tif 000004
【図４】
0004258888.tif 000005
【図５】
0004258888.tif 000006
【図６】
0004258888.tif 000007